(57)【要約】【課題】  メンテナンスの作業性ひいては装置としての性能、稼働率の向上を図ることができる篩装置を提供すること。【解決手段】  篩動作可能に設置された振動トレイと、上記振動トレイに上下方向に複数段にわたって設置された複数のスクリーン機構と、を具備した篩装置において、上記複数のスクリーン機構を開閉自在に構成した篩装置であり、これにより、上記振動トレイの底部側のメンテナンスをも行いやすくし、篩装置の性能、稼働率の向上を図ることができるようにしたもの。【選択図】図５
2014233662.tif 000002
【特許請求の範囲】
【請求項１】
篩動作可能に設置された振動トレイと、
上記振動トレイに上下方向に複数段にわたって設置された複数のスクリーン機構と、を具備した篩装置において、
上記複数のスクリーン機構を開閉自在に構成したことを特徴とする篩装置。
【請求項２】
請求項１記載の篩装置において、
上記複数のスクリーン機構は、上記振動トレイに開閉自在に設置された上段スクリーン機構と、上記振動トレイの上記上段スクリーン機構の下に開閉自在に設置された下段スクリーン機構と、から構成されていることを特徴とする篩装置。
【請求項３】
請求項２記載の篩装置において、
上記上段スクリーン機構は複数の上段スクリーンから構成されていて、上記複数の上段スクリーンは被篩対象物の搬送方向に直交する方向に開閉自在に設置されていることを特徴とする篩装置。
【請求項４】
請求項３記載の篩装置において、
上記下段スクリーン機構は複数の下段スクリーンから構成されていて、上記複数の下段スクリーンは被篩対象物の搬送方向に直交する方向に開閉自在に設置されていることを特徴とする篩装置。
【請求項５】
請求項４記載の篩装置において、
上記上段スクリーン機構は上段スクリーン機構用支持体を備えていて、上記複数の上段スクリーンは閉成時にはこの上段スクリーン機構用支持体により支持されており、上記下段スクリーン機構の複数の下段スクリーンは開閉時上記上段スクリーン機構用支持体と干渉しないように構成されていることを特徴とする篩装置。
【請求項６】
請求項５記載の篩装置において、
上記上段スクリーンと上記上段スクリーン機構用支持体との間の隙間は蓋体によって閉塞されており、上記下段スクリーンと上記下段スクリーン機構用支持体との間の隙間は蓋体によって閉塞されていることを特徴とする篩装置。
【請求項７】
請求項６記載の篩装置において、
上記複数の上段スクリーン及び上記複数の下段スクリーンの開成状態を保持する手段が設けられていることを特徴とする篩装置。
【発明の詳細な説明】
【技術分野】
【０００１】
本発明は、例えば、所望の大きさのチップを得るための篩装置に係り、特に、スクリーン機構を上下方向に複数段に備えたものであって、全てのスクリーン機構を開閉自在に構成し、それによって、メンテナンスの作業性ひいては装置としての性能、稼働率の向上を図ることができるように工夫したものに関する。
【背景技術】
【０００２】
図３０、図３１を参照して二種類の従来型の篩装置の構成を説明する。
まず、図３０に示す篩装置３０１の構成から説明する。まず、振動台３０３があり、この振動台３０３上には振動トレイ３０５が傾斜された状態で（図３０中右上から左下に向かった下り勾配）設置・固定されている。この振動トレイ３０５の、幅方向（図３０中左上から右下に向かう方向）両側には、右側壁３０７と左側壁３０９が設置されており（被篩対象物の排出側からみた左右）、背面側（図３０中右上側）には外側背面壁３１１と内側背面壁３１３が設置されている。また、これら外側背面壁３１１と内側背面壁３１３の間には、投入側傾斜面３１５が設置されている。また、振動トレイ３０５には底壁３１７が設置されている。
【０００３】
また、上記振動トレイ３０５の前端側（図３０中左下側）の図３０中上側には、上記右側壁３０７と上記左側壁３０９との間に、上段排出側傾斜面３１９が設置されている。また、上記上段排出側傾斜面３１９の図３０中下側には、上記右側壁３０７と上記左側壁３０９との間に、下段排出側傾斜面３２１が設置されている。
【０００４】
また、上記振動トレイ３０５の後端側（図３０中右上側）には、上記右側壁３０７と上記左側壁３０９と上記投入側傾斜面３１５と上記外側背面壁３１１によって、投入部３２３が構成されている。
また、上記振動トレイ３０５の前端側（図３０中左下側）には、上記右側壁３０７と上記左側壁３０９と上記上段排出側傾斜面３１９によって、上段排出部３２５が構成されている。また、上記振動トレイ３０５の前端側（図３０中左下側）には、上記右側壁３０７と上記左側壁３０９と上記下段排出側傾斜面３２１によって、下段排出部３２７が構成されている。
【０００５】
また、上記振動トレイ３０５には上下２段にわたって篩用のスクリーン機構が設置されている。まず、上記振動トレイ３０５の図３０中上側には上段スクリーン機構３２９が設置されていて、この上段スクリーン機構３２９は、２個の上段スクリーン３３１、３３１から構成されている。上記２個の上段スクリーン３３１、３３１は、被篩対象物の搬送方向（図３０中矢印ａで示す方向）に沿ってヒンジ３３２、３３２、３３２（図３０中片側のヒンジ３３２、３３２、３３２のみを示している）を介して開閉自在に構成されている。
上記上段スクリーン３３１、３３１を閉じた状態では、上記上段スクリーン３３１、３３１と上記投入側傾斜面３１５と上記上段排出側傾斜面３１９が、連続して配置されるようになっている。
なお、図３０は上記２個の上段スクリーン３３１、３３１を開いた状態を示している。
【０００６】
上記上段スクリーン機構３２９の下側には下段スクリーン機構３３３が設置されている。この下段スクリーン機構３３３も、２個の下段スクリーン３３５、３３５から構成されている。この下段スクリーン３３５、３３５と上記下段排出側傾斜面３２１は、連続して配置されている。
ただし、この２個の下段スクリーン３３５、３３５が開閉されることはない。
【０００７】
また、上記振動トレイ３０５には上段スクリーン機構用支持体３３７が設置されている。この上段スクリーン機構用支持体３３７は格子状に構成されていて、上記２個の上段スクリーン３３１、３３１を下方から支持するように構成されている。
又、上記下段スクリーン機構３３３はその下方に設置された図示しない格子状の下段スクリーン機構用支持体上に設置・固定されている。
又、上記上段スクリーン機構３２９と上記下段スクリーン機構３３３との間には空間３３９が設けられている。
【０００８】
また、上記下段スクリーン機構３３３と上記底壁３１７との間には図示しない空間が設けられており、この空間の後端側（図３０中右上側）は上記内側背面壁３１３によって閉塞されており、上記空間の幅方向（図３０中左上から右下に向かう方向）両側は上記右側壁３０７と上記左側壁３０９とによって閉塞されており、上記空間の前端側（図３０中左下側）は前面壁３４１によって閉塞されている。また、上記底壁３１７の前端側（図３０中左下側）の一部は開口部（図示せず）となっており、この開口部に図示しない筒状のダストシュートが設置されている。
【０００９】
上記振動トレイ３０５は上記振動台３０３を介して図示しない駆動機構により、前後方向（図３０中右上から左下に向かう方向）に往復動するとともに回転運動するように構成されている。
【００１０】
上記構成において、例えば、予め破砕処理が施された図示しない被篩対象物は、上記振動トレイ３０５の上方（図３０中右上）から投入部３２３上に投入される。上記振動トレイ３０５は傾斜した状態で上記振動台３０３に設置されていて、上記振動トレイ３０５が前後方向（図３０中左下から右上に向かう方向）に往復動するとともに回転運動をする際に、上記被篩対象物は上段スクリーン機構３２９上に移動され、上記上段スクリーン３３１、３３１、及び、下段スクリーン３３５、３３５によって、二段階にわたって篩分けられる。
【００１１】
まず、上記上段スクリーン３３１、３３１を通過しない被篩対象物は、上段排出部３２５より排出される。この上記上段排出部３２５より排出された被篩対象物は、必要に応じて、再び破砕処理を施されてから、上記投入部３２３から再投入される。
上記上段スクリーン３３１、３３１を通過し、上記下段スクリーン３３５、３３５を通過しない被篩対象物は、下段排出部３２７から排出される。篩装置３０１の場合には、上記下段排出部３２７から排出された被篩対象物を回収し、原材料や商品として利用するようにしている。
上記下段スクリーン３３５、３３５を通過した被篩対象物は、上記下段スクリーン機構３３３の下側の図示しない空間内に落下し、底壁３１７に設けられたダストシュートから上記振動トレイ３０５外へと排出される。
【００１２】
次に、図３１に示す篩装置４０１の構成を説明する。この篩装置４０１も、前述した篩装置３０１と略同様の構成であるが、上段スクリーン機構４０３が、４個の上段スクリーン４０５、４０５、４０５、４０５から構成されている。又、これら４個の上段スクリーン４０５、４０５、４０５、４０５の開閉方向が上記篩装置３０１の上段スクリーン３３１、３３１の開閉方向とは異なっている。すなわち、上記４個の上段スクリーン４０５、４０５、４０５、４０５は、被篩対象物の搬送方向（図３１中矢印ａ′で示す方向）に直交する左右方向に開閉自在に構成されている。
尚、その他の構成は前記篩装置３０１の構成と同じであり、図中同一部分には同一符号を付して示しその説明は省略する。
【００１３】
また、従来の篩装置としては、特許文献１に示すようなものも知られている。
【先行技術文献】
【特許文献】
【００１４】
【特許文献１】実用新案登録第３１３４４６９号公報
【発明の概要】
【発明が解決しようとする課題】
【００１５】
上記従来の構成によると、次のような問題があった。
すなわち、篩装置３０１においては上段スクリーン３３１、３３１を開閉することができ、篩装置４０１においては上段スクリーン４０５、４０５、４０５、４０５を開閉することができるが、下段スクリーン３３５、３３５については開閉することができない。そのため、上記下段スクリーン３３５、３３５の下側の空間内の清掃作業が非常に面倒であるという問題があった。
【００１６】
この点に関して詳しく説明する。
すでに説明したように、被篩対象物は、まず、上段スクリーン３３１、３３１（上段スクリーン４０５、４０５、４０５、４０５）によって篩われて、上段スクリーン３３１、３３１（上段スクリーン４０５、４０５、４０５、４０５）を通過しないものはそのまま排出され、上段スクリーン３３１、３３１（上段スクリーン４０５、４０５、４０５、４０５）を通過したものは下段スクリーン３３５、３３５上に落下する。次に、この下段スクリーン３３５、３３５によって篩われて、下段スクリーン３３５、３３５を通過しないものはそのまま排出され、下段スクリーン３３５、３３５を通過したものは振動トレイ３０５の底壁３１７上に落下する。
【００１７】
上記下段スクリーン３３５、３３５を通過して上記振動トレイ３０５の底壁３１７上に落下したものは、本来、上記振動トレイ３０５の振動によって排出されることになるが、例えば、含水率が高いものや粘着性の高いものは排出されることなく、上記下段スクリーン３３５、３３５と振動トレイ３０５の底壁３１７との間の空間内に残留・堆積されてしまう。
従来、これら残留・堆積したものについては、図示しない治具等を使用して掻き出していたが、その作業は極めて面倒であった。その為、篩装置３０１、４０１の効率、稼働率が大幅に低下してしまうという問題があった。
【００１８】
本発明は、このような点に基づいてなされたもので、その目的とするところは、メンテナンスの作業性ひいては装置としての性能、稼働率の向上を図ることができる篩装置を提供することにある。
【課題を解決するための手段】
【００１９】
上記課題を解決するべく本願の請求項１による篩装置は、振動台と、上記振動台に篩動作可能に設置された振動トレイと、上記振動トレイにあって上下方向に複数段にわたって設置された複数のスクリーン機構と、を具備した篩装置において、上記複数段全てのスクリーン機構を開閉自在に構成したことを特徴とするものである。
又、請求項２による篩装置は、請求項１記載の篩装置において、上記複数段のスクリーン機構は、上記振動トレイに開閉自在に設置された上段スクリーン機構と、上記振動トレイであって上記上段スクリーン機構の下に開閉自在に設置された下段スクリーン機構と、から構成されていることを特徴とするものである。
又、請求項３による篩装置は、請求項２記載の篩装置において、上記上段スクリーン機構は複数の上段スクリーンから構成されていて、上記複数の上段スクリーンは被篩対象物の搬送方向に直交する方向に開閉自在に設置されていることを特徴とするものである。
又、請求項４による篩装置は、請求項３記載の篩装置において、上記下段スクリーン機構は複数の下段スクリーンから構成されていて、上記複数の下段スクリーンは被篩対象物の搬送方向に直交する方向に開閉自在に設置されていることを特徴とするものである。
又、請求項５による篩装置は、請求項４記載の篩装置において、上記上段スクリーン機構は上段用支持体を備えていて、上記複数の上段スクリーンは閉成時にはこの上段用支持体により支持されており、上記下段スクリーン用機構の複数の下段スクリーンは開閉時上記上段用支持体と干渉しないように構成されていることを特徴とするものである。
又、請求項６による篩装置は、請求項５記載の篩装置において、請求項５記載の篩装置において、上記上段スクリーンと上記上段スクリーン機構用支持体との間の隙間は蓋体によって閉塞されており、上記下段スクリーンと上記下段スクリーン機構用支持体との間の隙間は蓋体によって閉塞されていることを特徴とするものである。
又、請求項７による篩装置は、請求項６記載の篩装置において、上記複数の上段スクリーン及び上記複数の下段スクリーンの開成状態を保持する手段が設けられていることを特徴とするものである。
【発明の効果】
【００２０】
以上述べたように、本願の請求項１による篩装置によると、振動台と、上記振動台に篩動作可能に設置された振動トレイと、上記振動トレイにあって上下方向に複数段にわたって設置された複数のスクリーン機構と、を具備した篩装置において、上記複数段全てのスクリーン機構を開閉自在に構成したので、メンテナンスが行いやすいものとなっている。また、上記篩装置のメンテナンスが行いやすいことにより、上記篩装置の性能や稼働率を向上させることができる。
又、請求項２による篩装置によると、請求項１記載の篩装置において、上記複数段のスクリーン機構を、上記振動トレイに開閉自在に設置された上段スクリーン機構と、上記振動トレイであって上記上段スクリーン機構の下に開閉自在に設置された下段スクリーン機構と、から構成したので、上記下段スクリーンの下側についてもメンテナンスを行いやすくすることができる。
又、請求項３による篩装置によると、請求項２記載の篩装置において、上記上段スクリーン機構を複数の上段スクリーンから構成し、上記複数の上段スクリーンを被篩対象物の搬送方向に直交する方向に開閉自在に設置したので、上記上段スクリーンを開いた際、上記上段スクリーンの下側の部分におけるメンテナンス作業を上記篩装置の搬送方向側から行いやすく、メンテナンス性を高めることができる。
又、請求項４による篩装置は、請求項３記載の篩装置において、上記下段スクリーン機構を複数の下段スクリーンから構成し、上記複数の下段スクリーンを被篩対象物の搬送方向に直交する方向に開閉自在に設置したので、上記下段スクリーンを開いた際、上記下段スクリーンの下側の部分におけるメンテナンス作業を上記篩装置の搬送方向側から行いやすく、更にメンテナンス性を高めることができる。
又、請求項５による篩装置によると、請求項４記載の篩装置において、上記上段スクリーン機構は上段用支持体を備えていて、上記複数の上段スクリーンは閉成時にはこの上段用支持体により支持されており、上記下段スクリーン用機構の複数の下段スクリーンは開閉時上記上段用支持体と干渉しないように構成したので、上記上段スクリーンだけでなく、上記下段スクリーンの開閉も確実に行うことができる。
又、請求項６による篩装置によると、請求項５記載の篩装置において、上記上段スクリーンと上記上段スクリーン機構用支持体との間の隙間は蓋体によって閉塞されており、上記下段スクリーンと上記下段スクリーン機構用支持体との間の隙間は蓋体によって閉塞されている構成にしたので、上記上段スクリーンや上記下段スクリーンを上記蓋体によって確実に閉じることができ、これにより、篩作業を確実に行うことができる。
又、請求項７による篩装置によると、請求項６記載の篩装置において、上記複数の上段スクリーン及び上記複数の下段スクリーンの開成状態を保持する手段が設けられている構成にしたので、更にメンテナンス作業を行いやすくすることができる。
【図面の簡単な説明】
【００２１】
【図１】本発明の第１の実施の形態を示す図で、本実施の形態による篩装置を示す右側面図である。
【図２】本発明の第１の実施の形態を示す図で、本実施の形態による篩装置の振動トレイとスクリーン機構を示す平面図である。
【図３】本発明の第１の実施の形態を示す図で、本実施の形態による篩装置を示す正面図である。
【図４】本発明の第１の実施の形態を示す図で、図２におけるＩＶ−ＩＶ断面図であり、一部の上段スクリーンと下段スクリーンを開いた状態として仮想線で示し、その他は閉じた状態としたものである。
【図５】本発明の第１の実施の形態を示す図で、図４におけるＶ−Ｖ断面図であり、上段スクリーンと下段スクリーンを開いた状態として仮想線で示したものである。
【図６】本発明の第１の実施の形態を示す図で、本実施の形態による篩装置の振動トレイの一部と上段スクリーン及び下段スクリーンのスクリーン部材を除去した斜視図であり、スクリーン機構を閉じた状態を示すものである。
【図７】本発明の第１の実施の形態を示す図で、本実施の形態による篩装置の振動トレイの一部と上段スクリーン及び下段スクリーンのスクリーン部材を除去した斜視図であり、スクリーン機構を開いた状態を示すものである。
【図８】本発明の第１の実施の形態を示す図で、図６のＶＩＩＩ拡大図であり、スクリーン部材を取り付けた状態を示している。
【図９】本発明の第１の実施の形態を示す図で、本実施の形態による篩装置の振動トレイから上段スクリーン機構を除去した状態の平面図である。
【図１０】本発明の第１の実施の形態を示す図で、図５におけるＸ部の拡大図である。
【図１１】本発明の第１の実施の形態を示す図で、図５におけるＸＩ部の拡大図である。
【図１２】本発明の第１の実施の形態を示す図で、図５におけるＸＩＩ部の拡大図である。
【図１３】本発明の第１の実施の形態を示す図で、図４におけるＸＩＩＩ部の拡大図である。
【図１４】本発明の第１の実施の形態を示す図で、図４におけるＸＩＶ部の拡大図である。
【図１５】本発明の第１の実施の形態を示す図で、図４におけるＸＶ部の拡大図である。
【図１６】本発明の第１の実施の形態を示す図で、図５におけるＸＶＩ部の拡大図である。
【図１７】本発明の第１の実施の形態を示す図で、図５におけるＸＶＩＩ部の拡大図である。
【図１８】本発明の第１の実施の形態を示す図で、図５におけるＸＶＩＩＩ部の拡大図である。
【図１９】本発明の第１の実施の形態を示す図で、図４におけるＸＩＸ部の拡大図である。
【図２０】本発明の第１の実施の形態を示す図で、図４におけるＸＸ部の拡大図である。
【図２１】本発明の第１の実施の形態を示す図で、図４におけるＸＸＩ部の拡大図である。
【図２２】本発明の第２の実施の形態を示す図で、本実施の形態による篩装置の平面図であり、その一部を拡大したものである。
【図２３】本発明の第２の実施の形態を示す図で、図２２におけるＸＸＩＩＩ−ＸＸＩＩＩ断面図であり、一部の構成要素を省略したものである。
【図２４】本発明の第２の実施の形態を示す図で、図２３におけるＸＸＩＶ−ＸＸＩＶ断面図である。
【図２５】本発明の第２の実施の形態を示す図で、本実施の形態による篩装置の蓋固定機構を示す拡大図であり、図２４（ａ）は蓋固定機構をロックした状態を示す図、図２４（ｂ）は蓋固定機構のロックを解除した状態を示す図である。
【図２６】本発明の第２の実施の形態を示す図で、図２４におけるＸＸＶＩ部の拡大図である。
【図２７】本発明の第２の実施の形態を示す図で、図２３におけるＸＸＶＩＩ断面図である。
【図２８】本発明の第３の実施の形態を示す図で、本実施の形態による篩装置の、上段スクリーン機構及び下段スクリーン機構を開いた状態での平面図であり、その一部を拡大して示すものである。
【図２９】本発明の第３の実施の形態を示す図で、図２８のＸＸＩＸ−ＸＸＩＸ断面図である。
【図３０】従来例を説明するための図で、従来の篩装置を示す斜視図である。
【図３１】従来例を説明するための図で、別の従来の篩装置を示す斜視図である。
【発明を実施するための形態】
【００２２】
以下、図１乃至図２１を参照して、本発明の第１の実施の形態について説明する。
図１に示すように、本実施の形態による篩装置１は、設置面３上に設置された基台５と、この基台５に取り付けられた駆動部７と、上記基台５に所定の範囲で振動可能に設置された振動台９と、該振動台９に設置・固定された振動トレイ１１と、該振動トレイ１１に設置された上段スクリーン機構１３及び下段スクリーン機構１５とから構成される。
【００２３】
上記基台５は次のような構成になっている。まず、上記設置面３には、４本の柱材１７、１７、１７、１７が立設されている。上記立設されている４本の柱材１７、１７、１７、１７からは、対角線上に梁材１９、１９、１９、１９がそれぞれ張り出されており、これら４個の梁材１９、１９、１９、１９の中心部にはブラケット２１が取り付けられている。また、上記４本の柱材１７、１７、１７、１７には、それぞれ２個ずつのブラケット２３、２３が取り付けられている。また、隣接する柱材１７、１７のブラケット２３、２３間には、板体２５が取り付けられている。また、上記柱材１７、１７、１７、１７間には、遮蔽板２７が取り付けられている。すでに説明した４個の梁材１９、１９、１９、１９、及び、ブラケット２１等は、これら遮蔽板２７によって覆われることになる。
【００２４】
次に、駆動部７の構成を説明する。まず、モータ２９があり、このモータ２９は、既に説明した遮蔽板２７に設置・固定されている。また、前記ブラケット２１には、クランクシャフト３１が設置・固定されている。上記モータ２９の回転軸にはモータ側プーリ３３が固着されている。一方、上記クランクシャフト３１の入力軸３５にはクランクシャフト側プーリ３７が固着されている。これらモータ側プーリ３３及びクランクシャフト側プーリ３７にはベルト３９が巻回されている。また、上記クランクシャフト３１にはフライホイール４１が取り付けられている。
【００２５】
そして、上記モータ２９が回転することにより、モータ側プーリ３３、ベルト３９、クランクシャフト側プーリ３７を介して、上記クランクシャフト３１が回転されることになる。
【００２６】
次に、振動台９及びその近傍の構成を説明する。
まず、既に説明した４本の柱材１７、１７、１７、１７の略直上位置には、支柱４３、４３、４３、４３が設置されている。上記各支柱４３、４３、４３、４３には、それぞれに２つの補強材４５、４５が取り付けられていて、隣接する支柱４３、４３の補強材４５、４５間には、梁材４７、４７、４７、４７がそれぞれ取り付けられている。
これら梁材４７、４７、４７、４７間には基板４９が取り付けられている。そして、既に説明したクランクシャフト３１の出力軸５１は、この基板４９に連結されている。
【００２７】
上記４本の柱材１７、１７、１７、１７と上記４本の支柱４３、４３、４３、４３の間には、ローラ盤５３、５３、５３、５３がそれぞれ設置されている。これらローラ盤５３、５３、５３、５３は、次のような構成になっている。
まず、上記柱材１７側には下部受け皿５５が取り付けられていて、この下部受け皿５５には図示しない凹部が形成されている。一方、上記支柱４３側には上部受け皿５７が取り付けられていて、この上部受け皿５７には図示しない凹部が形成されている。これら下部受け皿５５の凹部と上部受け皿５７の凹部の間には、図示しない鋼球が内装されている。
上記振動台９は、これら４個のローラ盤５３、５３、５３、５３を介して、上記基台５に対して所定の範囲内で振動することになる。すなわち、既に説明したように、上記モータ２９が回転することにより、モータ側プーリ３３、ベルト３９、クランクシャフト側プーリ３７を介して、上記クランクシャフト３１が回転されることになり、このクランクシャフト３１の回転により、上記振動台９が前後方向に往復動すると共に回転することになる。
【００２８】
次に、振動トレイ１１の構成を説明する。
振動トレイ１１は、図１に示すように、設置面３に対して傾斜した状態で、上記振動台９の支柱４３、４３、４３、４３に固着されている。
上記振動トレイ１１は、図２、図３に示すように、幅方向（図２中上下方向）両側に、右側壁５９と左側壁６１を備えており（被篩対象物の排出側からみた左右）、図４に示すように、背面側（図４中右側）には外側背面壁６３と内側背面壁６５を備えている。また、図５に示すように、上記右側壁５９の図５中上側部分は屈曲され、返し６７が形成されている。同様に、上記左側壁６１の図５中上側部分も屈曲され、返し６９が形成されている。また、図４に示すように、上記外側背面壁６３の図４中上側部分も屈曲され、返し７１が形成されている。
また、上記外側背面壁６３と上記内側背面壁６５の間には、投入側傾斜面７３が設置されている。
【００２９】
また、図１に示すように、上記振動トレイ１１の前端側（図１中左側）の図１中上側には、上記右側壁５９と上記左側壁６１との間に、上段排出側傾斜面７５が設置されている。また、上記上段排出側傾斜面７５の図１中下側には、上記右側壁５９と上記左側壁６１との間に、下段排出側傾斜面７７が設置されている。
【００３０】
また、図３、図４に示すように、上記振動トレイ１１の後端側（図４中右側）には、上記右側壁５９と上記左側壁６１と外側背面壁６３と上記投入側傾斜面７３によって、投入部７９が構成されている。
また、図１に示すように、上記振動トレイ１１の前端側（図１中左側）には、上記右側壁５９と上記左側壁６１と上記上段排出側傾斜面７５によって、上段排出部８１が構成されている。また、上記振動トレイ１１の前端側（図１中左側）には、上記右側壁５９と上記左側壁６１と上記下段排出側傾斜面７７によって、下段排出部８３が構成されている。
【００３１】
図４に示すように、上記振動トレイ１１の底部には底壁８５が設置されている。この底壁８５は、例えば、図５に示すように、上記振動トレイ１１の幅方向（図５中左右方向）中央に設置された梁材８７と、その幅方向（図５中左右方向）両側に設置された右側底壁８９と左側底壁９１とから構成されている。また、上記底壁８５の幅方向両側（図４中紙面垂直方向両側）には、既に説明した右側壁５９と左側壁６１が設置されている。また、上記底壁８５の後方側（図４中右側）にも既に説明した内側背面壁６５が設置されており、前方側（図４中左側）には前側壁９３が設置されている。
また、図１に示すように、上記底壁８５の前方側（図１中左側）には排出孔９５が形成されている。この排出孔９５の外部側（図１中下側）にはダストシュート９７が設置されている。このダストシュート９７の内部には、上記排出孔９５を介して上記振動トレイ１１の内部と外部を連通させる排出路９９が設けられている。
【００３２】
また、上記振動トレイ１１には、既に説明したように、上下２段にわたって篩用のスクリーン機構が設置されている。まず、上記振動トレイ１１の上側（図４中上側）には上段スクリーン機構１３が設置されていて、上記振動トレイ１１の下側（図４中下側）には下段スクリーン機構１５が設置されている。
【００３３】
上記上段スクリーン機構１３は、図２に示すように、複数（本実施の形態の場合は、右側と左側にそれぞれ３個ずつ、合計６個）の上段スクリーン１０１から構成されている。上記上段スクリーン１０１は、図５、図６、及び、図７に示すように、被篩対象物の搬送方向（図７中矢印ｂで示す方向）に直交する方向に開閉自在に構成されている。
上記上段スクリーン１０１を全て閉じた状態では、上記上段スクリーン１０１と上記投入側傾斜面７３と上段排出側傾斜面７５が連続して配置されるようになっている。
【００３４】
また、上記上段スクリーン１０１を開いた状態で固定するために、図１に示すように、振動トレイ１１の幅方向両側（図１中紙面垂直方向両側）に支柱１０３、１０３（図１中仮想線で示す）がそれぞれ設置される場合がある。この支柱１０３、１０３と上記上段スクリーン１０１との間に図示しないワイヤが張設され、これにより上記上段スクリーン１０１が開いた状態で固定される。
【００３５】
上記上段スクリーン１０１には、図８に示すように、まず、枠体１０５があり、この枠体１０５は、略四角形状に組み合わされた４つの枠材１０７、１０７、１０７、１０７と、上記４つの枠材１０７、１０７、１０７、１０７の内側に設置された梁材１０９、１０９、１０９、１０９、１０９とによって格子状に構成されている。そして、この枠体１０５の上側（図８中上側）に金網状のスクリーン部材１１１が設置されている。
【００３６】
また、例えば、図５、図６、図７、図８に示すように、振動トレイ１１の図５中左側に設置された上記上段スクリーン１０１は、図５中左側の枠材１０７と左側壁６１との間に設置された２つのヒンジ１１３、１１３によって、左側壁６１に開閉可能に取り付けられている。上記ヒンジ１１３は、図８、図１１、図１２に示すように、相互に回転可能に連結された板体１１３ａ、１１３ｂを備えていて、これら板体１１３ａ、１１３ｂが２組のボルト・ナット締結具１１３ｃ、１１３ｃによって上記枠材１０７と左側壁６１に取付・固定されている。また、図５及び図１１に示すように、上記振動トレイ１１の図５中右側に設置された上記上段スクリーン１０１は、図５中右側の枠材１０７と右側壁５９との間に設置された２つのヒンジ１１３、１１３によって、右側壁５９に開閉可能に取り付けられている。ヒンジ１１３の構成は上記した構成と同じである。
【００３７】
また、振動トレイ１１の図５中左側に設置された上記上段スクリーン１０１の図５中右側の枠材１０７には、図８、図１０に示すように、係合板１１５、１１５が取り付けられている。これら係合板１１５、１１５には三角形の切欠部１１７が形成されている。また、上記振動トレイ１１の図５中右側に設置された上記上段スクリーン１０１の図５中左側の枠材１０７にも、図１０に示すように、係合板１１５、１１５が取り付けられている。これら係合板１１５、１１５にも三角形の切欠部１１７が形成されている。
【００３８】
また、図４、図５に示すように、上記上段スクリーン機構１３の下側には、上段スクリーン機構用支持体１１９が設置されている。この上段スクリーン機構用支持体１１９は、図９に示すように、上記振動トレイ１１の幅方向（図９中上下方向）中央に、長さ方向（図９中左右方向）に沿って設置されたＩ型鋼１２１と、右側壁５９に長さ方向（図９中左右方向）に沿って設置された等辺山型鋼（アングル材）１２３と、左側壁６１に長さ方向（図９中左右方向）に沿って設置された等辺山型鋼（アングル材）１２５と、上記Ｉ型鋼１２１と上記等辺山型鋼（アングル材）１２３又は上記等辺山型鋼（アングル材）１２５との間に設置された複数（本実施の形態の場合は、Ｉ型鋼１２１の幅方向（図９中上下方向）両側に２本ずつ）の溝型鋼（チャンネル材）１２７、１２７、１２７、１２７と、上記Ｉ型鋼１２１の両端に上記振動トレイ１１の幅方向（図９中上下方向）に沿って設置された山型鋼（アングル材）１２９、１３１とから構成されている。図４に示すように、上記溝型鋼（チャンネル材）１２７は、上記Ｉ型鋼１２１を長さ方向（図４中左右方向）に３分割する位置にそれぞれ設置されている。また、上記山型鋼（アングル材）１２９、１３１は、上記等辺山型鋼（等辺山型鋼（アングル材）１２３から上記等辺山型鋼（アングル材）１２５まで延長されている。
【００３９】
例えば、図９に示すように、上記Ｉ型鋼１２１の幅方向（図９中上下方向）両側には、複数（本実施の形態の場合は、片側６個ずつ、合計１２個）の短い等辺山型鋼（アングル材）１３３が取り付けられている。本実施の形態の場合は、１つの上記上段スクリーン１０１につき、２個の等辺山型鋼（アングル材）１３３が対応する。この等辺山型鋼（アングル材）１３３は、図８に示すように、頂点を上に向けた状態で取り付けられている。また、上記上段スクリーン１０１の係合板１１５の切欠部１１７は上記等辺山型鋼（アングル材）１３３の形状に対応した形状となっており、上記上段スクリーン１０１が閉じられた際には、上記係合板１１５の切欠部１１７が上記等辺山型鋼（アングル材）１３３に係合されるようになっている。
【００４０】
また、図４、図１３に示すように、上記溝型鋼（チャンネル材）１２７、１２７は、開口部を排出側（図４中左側）に向けて設置されている。また、図４、図１４に示すように、投入側（図４中右側）の山型鋼（アングル材）１２９は、その長辺を図４、図１４中上下方向に指向させ、且つ、その短辺を排出側（図４、図１４中左側）に向けて設置されている。また、図４、図１５に示すように、排出側（図４、図１５中左側）の山型鋼（アングル材）１３１は、その長辺を図４、図１５中上下方向に指向させ、且つ、その短辺を投入側（図４、図１５中右側）に向けて設置されている。また、図４、図１３に示すように、上記溝型鋼（チャンネル材）１２７の高さ方向（図４、図１３中上下方向）中央部の幅方向（図４、図１３中左右方向）右側には短いフラットバ１３５が固着されており、幅方向（図４、図１３中左右方向）左側には長いフラットバ１３７が固着されている。例えば、図９に示すように、上記フラットバ１３５が上記溝型鋼（チャンネル材）１２７から幅方向（図９中左右方向）右側に所定量突出されていて、上記フラットバ１３７も、上記溝型鋼（チャンネル材）１２７から幅方向（図９中左右方向）左側に上記フラットバ１３５と同じ所定量だけ突出されている。
上記フラットバ１３５、１３７は、本実施の形態の場合は、１つの上記溝型鋼（チャンネル材）１２７につき、３個ずつ設置されている。
【００４１】
また、図４、図１４に示すように、上記山型鋼（アングル材）１２９の高さ方向（図４、図１４中上下方向）中央付近にはフラットバ１３９が固着されている。また、図４、図１５に示すように、上記山型鋼（アングル材）１３１の高さ方向（図４、図１５中上下方向）中央付近にはフラットバ１４１が固着されている。例えば、図９に示すように、投入側（図９中右側）の山型鋼（アングル材）１２９に固着されたフラットバ１３９は、上記山型鋼（アングル材）１２９から幅方向（図９中左右方向）左側に、上記フラットバ１３５と同じ所定量だけ突出されている。また、排出側（図９中左側）の山型鋼（アングル材）１３１に固着されたフラットバ１４１は、上記山型鋼（アングル材）１３１から幅方向（図９中左右方向）右側に、上記フラットバ１３５と同じ所定量だけ突出されている。
上記フラットバ１３９は、本実施の形態の場合は、上記山型鋼（アングル材）１２９に６個設置されている。また、上記フラットバ１４１は、本実施の形態の場合は、上記山型鋼（アングル材）１３１に６個設置されている。
【００４２】
そして、上記上段スクリーン１０１が閉じられた際は、例えば、図８に示すように、上記上段スクリーン１０１の係合板１１５の切欠部１１７が上記上段スクリーン機構用支持体１１９の等辺山型鋼（アングル材）１３３に係合する。また、図１１、図１２に示すように、上記上段スクリーン１０１の右側壁５９側又は左側壁６１側の端部が、上記上段スクリーン機構用支持体１１９の等辺山型鋼（アングル材）１２３又は１２５に設置され、上記等辺山型鋼（アングル材）１２３又は１２５に形成された貫通孔１４２（図９に示す）を貫通し上記等辺山型鋼（アングル材）１２３又は１２５の裏側（図１１又は図１２中下側）に固着されたナット１４３に螺合されるボルト１４５によって固定される。
また、図１３、図１４、図１５に示すように、上記上段スクリーン１０１の図４中左右両端が、上記上段スクリーン機構用支持体１１９の上記フラットバ１３５、１３７、又は、１３５、１３９、又は、１３７、１４１に設置される。
なお、図１１は、右側壁５９側に設置された上段スクリーン１０１について図示したものである。
【００４３】
ところで、上記６個の上段スクリーン１０１を閉じた際には、図１０に示すように、上記上段スクリーン１０１とＩ型鋼１２１との間に隙間１４７、１４７が発生してしまう。また、図１３に示すように、上記上段スクリーン１０１と溝型鋼（チャンネル材）１２７、１２７との間にも、隙間１４９、１４９が発生してしまう。また、図１４、図１５に示すように、上記上段スクリーン１０１と山型鋼（アングル材）１２９又は１３１との間にも隙間１５１、１５１が発生してしまう。
これに対しては、本実施の形態では、蓋により、それらの隙間を閉じるようにしている。以下、詳細に説明する。
【００４４】
まず、上記隙間１４７、１４７を閉じるための構成から説明する。図１０に示すように、Ｉ型鋼１２１を挟んで、その両側に形成された隙間１４７、１４７を閉じるように、略長方形状の板状部材からなる蓋１５３が設置されている。上記蓋１５３は、幅方向両端を上段スクリーン１０１、１０１に重合させた状態で設置されている。また、この蓋１５３は、Ｉ型鋼１２１に形成された図示しない雌ネジ部にボルト１５５を螺合させることによって固定される。本実施の形態の場合には、図８に示すように、上記蓋１５３は、１個の上段スクリーン１０１に対応した長さに設定されており、長さ方向４箇所において上記ボルト１５５により固定されている。また、図２に示すように、蓋１５３は３個設置されている。
【００４５】
次に、上記上段スクリーン１０１と溝型鋼（チャンネル材）１２７、１２７との間に発生する隙間１４９、１４９を閉じるための構成を説明する。図１３に示すように、上記溝型鋼（チャンネル材）１２７の両側に発生する上記隙間１４９、１４９を閉じるように、上記溝型鋼（チャンネル材）１２７の上には蓋１５７が設置されている。この蓋１５７は、その両端を上記上段スクリーン１０１、１０１に重合させた状態で設置されている。上記溝型鋼（チャンネル材）１２７の内側面には図示しないナットが固着されているとともに、該ナット位置に貫通孔が穿孔されている。上記蓋１５７は、図８に示すように、長さ方向３箇所において、ボルト１５９を上記貫通孔に貫通させて、上記ナットに螺合させることにより固定されている。
【００４６】
また、図１４、図１５に示すように、上記上段スクリーン１０１と山型鋼（アングル材）１２９又は１３１との間に発生する隙間１５１についても、上記蓋１５３、１５７とほぼ同様の構成をなす蓋１６１により閉じる構成になっている。
すなわち、図１４、図１５に示すように、上記上段スクリーン１０１と上記山型鋼（アングル材）１２９との間や、上記上段スクリーン１０１と上記山型鋼（アングル材）１３１との間に発生する上記隙間１５１を閉じるように、上記上段スクリーン１０１と上記山型鋼（アングル材）１２９又は１３１の上には蓋１６１が設置されている。この蓋１６１は、その両端を上記上段スクリーン１０１と上記山型鋼（アングル材）１２９又は１３１に重合させた状態で設置されている。上記山型鋼（アングル材）１２９又は１３１の内側面には図示しないナットが固着されているとともに、該ナット位置に貫通孔が穿孔されている。上記蓋１６１は、長さ方向３箇所において、図２に示すように、ボルト１６２を上記貫通孔に貫通させて、上記ナットに螺合させることにより固定されている。
【００４７】
次に、下段スクリーン機構１５の構成を説明する。
上記下段スクリーン機構１５も、図６、図７に示すように、複数（本実施の形態の場合は、右側と左側にそれぞれ３個ずつ、合計６個）の下段スクリーン１６３から構成されている。上記下段スクリーン１６３も、図５、図６、及び、図７に示すように、被篩対象物の搬送方向（図７中矢印ｂで示す方向）に直交する方向に開閉自在に構成されている。
上記下段スクリーン１６３の大きさは、図５、図７に示すように、上記下段スクリーン１６３を開いた場合に、上記下段スクリーン１６３が上記上段スクリーン機構用支持体１１９に干渉しないように設定されている。
上記下段スクリーン１６３を全て閉じた状態では、上記下段スクリーン１６３と下段排出側傾斜面７７が連続して配置されるようになっている。
【００４８】
また、必要に応じて、既に述べた支柱１０３と上記下段スクリーン１６３との間に図示しないワイヤが張設され、これにより上記下段スクリーン１６３が開いた状態で固定される。
【００４９】
上記下段スクリーン１６３も、図７に示すように、まず、枠体１６５があり、この枠体１６５は、略四角形状に組み合わされた４つの枠材１６７、１６７、１６７、１６７と、上記４つの枠材１６７、１６７、１６７、１６７の内側に設置された梁材１６９、１６９、１６９、１６９、１６９とによって格子状に構成されている。そして、図４に示すように、この枠体１６５の上側（図４中上側）にスクリーン部材１７１が設置されている。
【００５０】
また、図５に示すように、振動トレイ１１の図５中左側に設置された上記下段スクリーン１６３は、図５中左側の枠材１６７と左側壁６１との間に設置された２つのヒンジ１７３、１７３によって、左側壁６１に開閉可能に取り付けられている。また、上記振動トレイ１１の図５中右側に設置された上記下段スクリーン１６３は、図５中右側の枠材１６７と右側壁５９との間に設置された２つのヒンジ１７３、１７３によって、右側壁５９に開閉可能に取り付けられている。
なお、上記ヒンジ１７３は前記ヒンジ１１３と同様に、図１７に示すように、相互に回転可能に連結された板体１７３ａ、１７３ｂを備えていて、これら板体１７３ａ、１７３ｂが２組のボルト・ナット締結具１７３ｃ、１７３ｃによって上記枠材１６７と左側壁５９に取付・固定されている構成をなすものである。
【００５１】
また、振動トレイ１１の図５中左側に設置された上記下段スクリーン１６３の図５中右側の枠材１６７には、係合板１７５、１７５が取り付けられている。これらの係合板１７５には図示しない三角形の切欠部が形成されている。また、上記振動トレイ１１の図５中右側に設置された上記下段スクリーン１６３の図５中左側の枠材１６７にも係合板１７５、１７５が取り付けられている。これら係合板１７５にも図示しない三角形の切欠部が形成されている。
【００５２】
また、図４、図５に示すように、上記下段スクリーン機構１５の下側には、下段スクリーン機構用支持体１７７が設置されている。この下段スクリーン機構用支持体１７７は、例えば、図５に示すように、上記振動トレイ１１の幅方向（図５中左右方向）中央に、長さ方向（図５中紙面垂直方向）に沿って設置されたＩ型鋼１７９と、右側壁面５１に長さ（図５中紙面垂直方向）方向に沿って設置された等辺山型鋼（アングル材）１８１と、左側壁面５３に長さ方向（図５中紙面垂直方向）に沿って設置された等辺山型鋼（アングル材）１８３と、上記Ｉ型鋼１７９と上記等辺山型鋼（アングル材）１８１又は上記等辺山型鋼（アングル材）１８３との間に設置された複数（本実施の形態の場合は、Ｉ型鋼１７９の幅方向（図４中紙面垂直方向）両側に２本ずつ）の溝型鋼（チャンネル材）１８５、１８５、１８５、１８５と、上記Ｉ型鋼１７９の両端に上記振動トレイ１１の幅方向（図４中紙面垂直方向）に沿って設置された山型鋼（アングル材）１８７、１８９とから構成されている。図４に示すように、上記溝型鋼（チャンネル材）１８５は、上記Ｉ型鋼１７９を長さ方向（図４中左右方向）に３分割する位置にそれぞれ設置されている。また、上記山型鋼（アングル材）１８７、１８９は、上記等辺山型鋼（等辺山型鋼（アングル材）１８１から上記等辺山型鋼（アングル材）１８３まで延長されている。
【００５３】
図５、図１６に示すように、上記Ｉ型鋼１７９の幅方向（図５中左右方向）両側には、複数（本実施の形態の場合は、片側６個ずつ、合計１２個）の短い等辺山型鋼（アングル材）１９１が取り付けられている。本実施の形態の場合は、１つの上記下段スクリーン１６３につき、２個の等辺山型鋼（アングル材）１９１が対応する。この等辺山型鋼（アングル材）１９１は、前述した上段スクリーン機構用支持体１１９の等辺山型鋼（アングル材）１３３と同様、頂点を上に向けた状態で取り付けられている。また、上記下段スクリーン１６３の係合板１７５の切欠部は上記等辺山型鋼（アングル材）１９１の形状に対応した形状となっており、上記下段スクリーン１６３が閉じられた際には、上記係合板１７５の図示しない切欠部が上記等辺山型鋼（アングル材）１９１に係合されるようになっている。
【００５４】
また、図４、図１９に示すように、上記溝型鋼（チャンネル材）１８５、１８５は開口部を図４中下側に向けて設置されている。また、投入側（図４中右側）の山型鋼（アングル材）１８７は、その長辺を図４、図２０中上下方向に指向させ、且つ、その短辺を排出側（図４、図２０中左側）に向けて設置されている。また、排出側（図４中左側）の山型鋼（アングル材）１８９は、その長辺を図４、図２１中上下方向に指向させ、且つ、その短辺を投入側（図４、図２１中右側）に向けて設置されている。上記溝型鋼（チャンネル材）１８５の下側（図４、図１９中下側）にはフラットバ１９３が固着されており、このフラットバ１９３の幅方向（図４、図１９中左右方向）両端側は上記溝型鋼（チャンネル材）１８５の幅方向（図４、図１９中左右方向）両端から所定量だけ突出されている。
上記フラットバ１９３は、１つの上記溝型鋼（チャンネル材）１８５につき、３個ずつ設置されている。
【００５５】
また、図４、図２０に示すように、上記山型鋼（アングル材）１８７の高さ方向（図４、図２０中上下方向）中央付近にはフラットバ１９５が固着され、上記山型鋼（アングル材）１８９の高さ方向（図４、図２０中上下方向）中央付近にはフラットバ１９７が固着されている。図４、図２０に示すように、投入側（図９中右側）の山型鋼（アングル材）１８７に固着されたフラットバ１９５の図４、図２０中左側の端部側は、上記山型鋼（アングル材）１８７の幅方向（図４、図２０中左右方向）左側に所定量だけ突出されている。また、排出側（図９中左側）の山型鋼（アングル材）１８９に固着されたフラットバ１９７の図４、図２１中右側の端部側は、上記山型鋼（アングル材）１８９の幅方向（図４、図２１中左右方向）右側に所定量だけ突出されている。
【００５６】
なお、すでに述べたように、下段スクリーン１６３の大きさは、上記下段スクリーン１６３を開いた場合に、上記下段スクリーン１６３が上記上段スクリーン機構用支持体１１９に干渉しないように設定されており、上記下段スクリーン１６３は上段スクリーン１０１よりも小さいものとなっている。ここで、上記溝型鋼（チャンネル材）１８５の図４、図１９中左右方向の大きさを、既に述べた上段スクリーン機構用支持体１１９の溝型鋼（チャンネル材）１２７と同じ大きさにしてしまうと、後述する上記溝型鋼（チャンネル材）１８５と下段スクリーン１６３との間の隙間が大きくなってしまう。そのため、上記溝型鋼（チャンネル材）１８５の図４、図１９中左右方向の大きさは、既に述べた上段スクリーン機構用支持体１１９の溝型鋼（チャンネル材）１２７の図４、図１３中左右方向の大きさよりも大きく設定されており、これにより、既に述べた上記溝型鋼（チャンネル材）１２７と上段スクリーン１０１との間の隙間１４９と後述する上記溝型鋼（チャンネル材）１８５と下段スクリーン１６３との間の隙間の大きさは同程度となっている。
【００５７】
また、上記山型鋼（アングル材）１８７、１８９の短辺を、上記上段スクリーン機構用支持体１１９のアングル材１２９、１３１の短辺と同じ大きさにしてしまうと、後述する上記溝型鋼（チャンネル材）１８６又は１８９と下段スクリーン１６３との間の隙間が大きくなってしまう。そのため、上記山型鋼（アングル材）１８７、１８９の短辺は、既に述べた上段スクリーン機構用支持体１１９の山型鋼（アングル材）１２９、１３１の短辺よりも大きく設定されており、これによって、既に述べた上記溝型鋼（チャンネル材）１２７又は山型鋼（アングル材）１３１と上段スクリーン１０１との間の隙間１５１と後述する上記溝型鋼（チャンネル材）１８７又は１８９と下段スクリーン１６３との間の隙間の大きさは同程度となっている。
上記フラットバ１９５は、本実施の形態の場合は、１つの上記山型鋼（アングル材）１８７につき、３個ずつ設置されている。また、上記フラットバ１９７は、本実施の形態の場合は、１つの上記山型鋼（アングル材）１８９につき、３個ずつ設置されている。
【００５８】
そして、上記下段スクリーン１６３が閉じられた際は、例えば、図１６に示すように、上記下段スクリーン１６３の係合板１７５の切欠部が上記下段スクリーン機構用支持体１７７の等辺山型鋼（アングル材）１９１に係合する。また、図１７、図１８に示すように、上記下段スクリーン１６３の右側壁５９側又は左側壁６１側の端部が、上記下段スクリーン機構用支持体１７７の等辺山型鋼（アングル材）１８１又は１８３に設置され、上記等辺山型鋼（アングル材）１８１又は１８３に形成された貫通孔を貫通し上記等辺山型鋼（アングル材）１８１又は１８３の裏側（図１７又は図１８中下側）に固着されたナット１９８ａに螺合されるボルト１９８ｂによって固定される。また、図１９、図２０、図２１に示すように、上記下段スクリーン１６３の図４中左右方向両端が上記下段スクリーン機構用支持体１７７の上記フラットバ１９３、１９３、又は、１９３、１９５、又は、１９３、１９７に当接される。
【００５９】
ところで、上記６個の下段スクリーン１６３を閉じた際には、図１６に示すように、上記下段スクリーン１６３とＩ型鋼１７９との間に隙間１９９、１９９が発生してしまう。また、図１９に示すように、上記下段スクリーン１６３と溝型鋼（チャンネル材）１８５、１８５との間にも、隙間２０１、２０１が発生してしまう。また、図２０、図２１に示すように、上記下段スクリーン１６３と山型鋼（アングル材）１８７又は１８９との間にも隙間２０３、２０３が発生してしまう。
これに対しては、本実施の形態では、蓋によりそれらの隙間を閉じるように構成している。以下、詳細に説明する。
【００６０】
まず、上記下段スクリーン１６３とＩ型鋼１７９との間の隙間１９９、１９９を閉じるための構成から説明する。図１６に示すように、Ｉ型鋼１７９を挟んで、その両側に形成された隙間１９９、１９９を閉じるように、略長方形状の板状部材からなる蓋２０５が設置されている。上記蓋２０５は、幅方向両端を下段スクリーン１６３、１６３に重合させた状態で設置されている。また、この蓋２０５は、Ｉ型鋼１７９に形成された図示しない雌ネジ部にボルト２０７を螺合させることによって固定される。本実施の形態の場合には、上記蓋２０５は、１個の下段スクリーン１６３に対応した長さに設定されており、長さ方向４箇所において上記ボルト２０７により固定されている。また、蓋２０５は３個設置されている。
【００６１】
次に、上記下段スクリーン１６３と溝型鋼（チャンネル材）１８５、１８５との間に発生する隙間を閉じるための構成を説明する。まず、図１９に示すように、上記溝型鋼（チャンネル材）１８５の両側に発生する上記隙間２０１、２０１を閉じるように、上記溝型鋼（チャンネル材）１８５の上には蓋２０９が設置されている。この蓋２０９は、その幅方向（図１９中左右方向）両端を上記下段スクリーン１６３、１６３に重合させた状態で設置されている。上記溝型鋼（チャンネル材）１８５の内側面には図示しないナットが固着されているとともに、該ナット位置に図示しない貫通孔が穿孔されている。上記蓋２０９は、長さ方向３箇所において、ボルト２１０を上記貫通孔を貫通させて、上記ナットに螺合させることにより固定されている。
【００６２】
また、上記下段スクリーン１６３と山型鋼（アングル材）１８７又は１８９との間に発生する隙間２０３、２０３についても、上記蓋２０９とほぼ同様の構成をなす蓋２１１により閉じる構成になっている。
すなわち、図２０、図２１に示すように、上記下段スクリーン１６３と上記山型鋼（アングル材）１８７との間や、上記下段スクリーン１６３と上記山型鋼（アングル材）１８９との間に発生する上記隙間２０３を閉じるように、上記下段スクリーン７７と上記山型鋼（アングル材）１８７又は１８９の上には蓋２１１が設置されている。この蓋２１１は、その両端を上記下段スクリーン１６３と上記山型鋼（アングル材）１８７又は１８９に重合させた状態で設置されている。上記山型鋼（アングル材）１８７又は１８９の内側面には図示しないナットが固着されているとともに、該ナット位置に貫通孔が穿孔されている。上記蓋２１１は、長さ方向３箇所において、ボルト２１２を上記貫通孔を貫通させて、上記ナットに螺合させることにより固定されている。
【００６３】
また、上段スクリーン機構１３と下段スクリーン機構１５の振動トレイ１１に対する傾斜角度は異なっている。すなわち、図４に示すように、上記下段スクリーン機構１５は上記振動トレイ１１の底壁８５に対して平行に設置されているが、上記上段スクリーン機構７５は上記底壁８５に対して傾斜しており、上記振動トレイ１１の排出側（図４中左側）における上記上段スクリーン機構１３と上記下段スクリーン機構１５との間の間隔よりも、上記振動トレイ１１の投入側（図４中右側）における上記上段スクリーン機構１３と上記下段スクリーン機構１５との間の間隔の方が狭くなっている。そのため、上記振動トレイ１１を振動台９を介して基台５に設置すると、上記上段スクリーン機構１３の傾斜は上記下段スクリーン機構１５の傾斜に比べて緩やかなものとなる。
【００６４】
次に、本実施の形態による篩装置１の作用について説明する。
まず、上記篩装置１の動作について説明する。
モータ２９を駆動させると、このモータ２９の図示しない出力軸の回転が、モータ側プーリ３３、ベルト３９、クランクシャフト側プーリ３７を介して、クランクシャフト３１に伝達される。
上記クランクシャフト３１の回転により、振動台９ひいては振動トレイ１１が前後方向（図１中左右方向）に往復動されるとともに、図１の紙面に垂直な面と平行に回転運動される。（振動トレイ１１のこのような動作を以下、篩動作という。）
【００６５】
そして、上記振動トレイ１１が篩動作される際に、投入部７９から、予め破砕処理された被篩対象物が投入されると、上記被篩対象物は上記投入部７９の投入側傾斜面７３に沿って排出側（図１中左側）へと移動される。
上記被篩対象物が排出側（図１中左側）へ移動されると、上記被篩対象物は、まず、上記上段スクリーン機構１３の上段スクリーン１０１上に投入される。そして、上記被篩対象物のうち、上記上段スクリーン１０１のスクリーン部材１１１の目より小さいものは上記上段スクリーン１０１の下へと落下される。それ以外のものは上記上段スクリーン１０１上を排出側（図１中左側）へと移動され、上段排出部８１から排出側（図１中左側）へと排出される。
本実施の形態では、この上段排出部８１から排出された被篩対象物を回収し、必要に応じて、再び破砕処理を行った後、再度、投入部７９から投入し、処理を行う。
【００６６】
上記上段スクリーン１０１の下に落下された被篩対象物は、下段スクリーン１６３上に投入される。そして、上記下段スクリーン１６３上に投入された被篩対象物のうち、上記下段スクリーン１６３のスクリーン部材１７１の目より小さなものは上記下段スクリーン１６３の下へと落下される。それ以外のものは、上記下段スクリーン１６３上を排出側（図１中左側）へと移動され、下段排出部８３から排出側（図１中左側）へと排出される。
本実施の形態では、この下段排出部８３から排出された被篩対象物を回収して、製品として扱う。
【００６７】
上記下段スクリーン１６３の下へと落下された被篩対象物は、上記振動トレイ１１の底壁８５上に載置される。原則として、これら被篩対象物は上記底壁８５上を排出側（図１中左側）へと移動していき、ダストシュート９７から排出される。
しかし、上記被篩対象物が、例えば、含水率が高いものや粘着性の高いものであると、上記振動トレイ１１内の上記下段スクリーン１６３の下側の空間内において、固着・堆積され、篩装置１による処理が阻害されることになる。
本実施の形態の場合には、上段スクリーン機構１３や下段スクリーン機構１５を開閉自在に構成しているので、上記固着・堆積された被篩対象物を確実に除去することができる。
なお、この点については、次に詳しく説明する。
【００６８】
次に、上段スクリーン機構１３や下段スクリーン機構１５の開閉について説明する。
上記上段スクリーン機構１３の各上段スクリーン１０１は、ヒンジ１１３、１１３によって、被篩対象物の搬送方向（図７中矢印ｂで示す方向）に直交する方向に開閉動作される。また、下段スクリーン機構１５の各下段スクリーン１６３も、ヒンジ１７３、１７３によって、被篩対象物の搬送方向（図７中矢印ｂで示す方向）に直交する方向に開閉動作される。
【００６９】
例えば、下段スクリーン１６３と振動トレイ１１の底壁８５の間に、固着・堆積された被篩対象物を除去する場合には、図７に示すように、上段スクリーン機構１３の各上段スクリーン１０１を開くとともに、下段スクリーン機構１５の各下段スクリーン１６３を開く。その状態で、例えば、作業員が振動トレイ１１上にのって、図示しない治具等を使用して上記固着・堆積された被篩対象物を除去する。
所定の除去作業が完了した後、上記下段スクリーン機構１５の各下段スクリーン１６３を閉じるとともに、上記上段スクリーン機構１３の各上段スクリーン１０１を閉じる。
【００７０】
その他に、例えば、上段スクリーン機構１３と下段スクリーン機構１５との間に、固着・堆積された被篩対象物が存在する場合には、上段スクリーン機構１３の各上段スクリーン１０１のみを開いて、所定の除去作業を行う。
【００７１】
なお、上段スクリーン機構１３の各上段スクリーン１０１、下段スクリーン機構１５の各下段スクリーン１６３を、部分的に開閉する場合もある。例えば、下段スクリーン機構１５の排出側（図７中左下側）と振動トレイ１１の底壁８５との間のみに被篩対象物が顕著に固着・堆積している場合には、上段スクリーン機構１３の排出側（図７中左下側）の上段スクリーン１０１のみを開き、同時に、下段スクリーン機構１５の排出側（図７中左下側）の下段スクリーン１６３のみを開けばよい。
【００７２】
次に、本実施の形態による篩装置１の効果について説明する。
まず、上段スクリーン機構１３の各上段スクリーン１０１を開閉自在に構成したことはもとより、下段スクリーン機構１５の各下段スクリーン１６３についても、開閉自在に構成しているので、必要なメンテナンスを容易且つ確実に行うことができる。
特に、下段スクリーン機構１５の各下段スクリーン１６３と振動トレイ１１の底壁８５との間に固着・堆積される被篩対象物の除去が大きな課題になっていたが、上記したように、下段スクリーン機構１５の各下段スクリーン１６３についても、開閉自在に構成したことにより、そのような除去作業にも対処できるようになった。
その結果、篩装置１の性能、稼働率の向上を図ることができる。
【００７３】
また、本実施の形態の場合には、上段スクリーン機構１３を複数（本実施の形態の場合は６個）の上段スクリーン１０１に分割して構成し、同様に、下段スクリーン機構１５についても、複数（本実施の形態の場合は６個）の下段スクリーン１６３に分割して構成したので、分割された上段スクリーン１０１、下段スクリーン１６３単位で開閉することができ、開閉動作が容易なものとなる。
また、必要な場所だけ部分的に開閉することもできる。
【００７４】
また、下段スクリーン機構１５の各下段スクリーン１６３の外形寸法は、上段スクリーン機構用支持体１１９と干渉しないように設定されているので、下段スクリーン機構１５の各下段スクリーン１６３の開閉を容易且つ確実に行うことができる。
【００７５】
また、上段スクリーン機構１３の各上段スクリーン１０１を閉じた場合には、上段スクリーン１０１とＩ型鋼１２１との間や、上段スクリーン１０１と溝型鋼（チャンネル材）１２７及び山型鋼（アングル材）１２９、１３１との間に隙間１４７、１４９、１５１が形成されるが、これらの隙間１４７、１４９、１５１は蓋１５３、１５７、１６１により確実に閉塞される構成になっているので、上段スクリーン機構１３による篩機能が損なわれることはない。
また、上記蓋１５３、１５７、１６１により、上記各上段スクリーン１０１が確実に閉じた状態で固定されることになり、これによって、篩動作中に不用意に上記各上段スクリーン１０１が開いてしまうことが防止され、上記上段スクリーン機構１３の機能を確実に担保することができる。
【００７６】
同様に、下段スクリーン機構１５の各下段スクリーン１６３を閉じた場合には、下段スクリーン１６３とＩ型鋼１７９との間や、下段スクリーン１６３と溝型鋼（チャンネル材）１８５、１８７、１８９との間に隙間１９９、２０１、２０３が形成されるが、これらの隙間１９９、２０１、２０３は蓋２０５、２０９、２１１により確実に閉塞される構成になっているので、下段スクリーン機構１５による篩機能が損なわれることはない。
また、上記蓋２０５、２０９、２１１により、上記各下段スクリーン１６３が確実に閉じた状態で固定されることになり、これによって、篩動作中に不用意に上記各下段スクリーン１６３が開いてしまうことが防止され、上記下段スクリーン機構１５の機能を確実に担保することができる。
【００７７】
また、本実施の形態の場合には、上段スクリーン機構１３を構成する上段スクリーン１０１を被篩対象物の搬送方向に直交する方向に開閉自在に構成し、同じく、下段スクリーン機構１５についても、下段スクリーン１６３を被篩対象物の搬送方向に直交する方向に開閉自在に構成しているので、上段スクリーン１０１及び下段スクリーン１６３を開いた状態で、被篩対象物の搬送方向前後端にメンテナンス用の大きな開口を提供することができ、それによって、メンテナンスの作業性の向上を図ることができる。
【００７８】
また、本実施の形態の場合には、振動トレイ１１の左右両側に、それぞれ２本ずつの支柱１０３、１０３、１０３、１０３を選択的に設置できる。そのため、上記上段スクリーン１０１及び下段スクリーン１６３を開いた場合に、上記支柱１０３、１０３、１０３、１０３とこれら上段スクリーン１０１及び下段スクリーン１６３との間に図示しないワイヤを張設することにより、上記上段スクリーン１０１及び下段スクリーン１６３を開いた状態で保持することができるので、それによっても、メンテナンスの作業性の向上を図ることができる。
【００７９】
次に、図２２〜図２７を参照して本願発明の第２の実施の形態について説明する。
本実施の形態による篩装置５０１は、前述した第１の実施の形態による篩装置１とほぼ同様の構成であるが、以下の構成が異なっている。
なお、前述した第１の実施の形態による篩装置１と同一部分には同一符号を付して示しその説明を省略する。
【００８０】
まず、上段スクリーン機構１３の上段スクリーン１０１とＩ型鋼１２１との隙間１４７、１４７を塞ぐための蓋１５３の着脱の構成が異なっている。図２２〜図２５に示すように、蓋１５３には複数（本実施の形態の場合は３つ）の略四角形を成す貫通孔５０３が形成されている。また、上記蓋１５３の表側（図２２中紙面垂直方向手前側）であって個々の上記貫通孔５０３が形成された部分には、略コの字型の板材５０５が固定されている。この板材５０５は上記貫通孔５０３の周囲を囲むように、上記蓋１５３に固定されている。
【００８１】
また、上記Ｉ型鋼１２１の図２５中上側には、ボルト５０７がその頭部を上記Ｉ型鋼１２１側（図２５中下側）に向けた状態で固定されている。そして、このボルト５０７の軸部を貫通して、固定部材５０９が回転可能に設置されている。また、上記ボルト５０７の軸部の先端側（図２５中上端側）にはナット５１１が螺合されており、このナット５１１と上記固定部材５０９との間にはワッシャ５１３が介挿されている。
【００８２】
上記固定部材５０９を回転させ、図２４（ａ）に示すような状態にすると、上記蓋１５３を固定することができる。また、上記固定部材５０９を回転させて図２４（ｂ）に示すような状態にすると、上記固定部材５０９による上記蓋１５３の固定が解除され、上記蓋１５３を除去することができる。
また、上記ナット５１１を回転させて上記固定部材５０９を図２５中下側に付勢することにより上記固定部材５０９を固定することができ、上記ナット５１１を回転させて図２５中上側に移動させることにより上記固定部材５０９の付勢・固定を解除することができる。
【００８３】
また、前述した第１の実施の形態による篩装置１においては、チャンネル材１２７と上段スクリーン１０１、１０１との間の隙間１４９、１４９は蓋１５７、１５７によって閉塞されており、アングル材１２９と上段スクリーン１０１との間の隙間１５１は蓋１６１によって閉塞されており、アングル材１３１と上段スクリーン１０１との間の隙間１５１も蓋１６１によって閉塞されている。この実施の形態の場合には、それらの蓋体１５７、１６１とは異なる構成の蓋体が使用されている。
すなわち、本実施の形態では、図２７に示すように、上記隙間１４９、１４９は、それぞれ、塞ぎ部材５１５、５１５によって閉塞されている。また、上記隙間１５１、１５１も、上記塞ぎ部材５１５と同様の図示しない塞ぎ部材によって閉塞されている。
【００８４】
上記塞ぎ部材５１５は、例えば、ゴム製であり、図２７中紙面垂直方向に延長された帯状の形状を成している。上記チャンネル材１２７の図２７中右側においては、上記チャンネル材１２７の図２７中右側の面と上記上段スクリーン１０１との間に上記塞ぎ部材５１５が介挿されている。一方、上記チャンネル材１２７の図２７中左側においては、フラットバ１３７上に立設・固定されるとともに図２７中紙面垂直方向に延長された板材５１７が設置されており、上記塞ぎ部材５１５は、この板材５１７と上記上段スクリーン１０１との間に介挿されている。
【００８５】
また、アングル材１２９、１３１についても、上記板材５１７と同様の図示しない板材が設置されており、上記上段スクリーン１０１とこの図示しない板材との間に、図示しない塞ぎ部材が介挿されている。
【００８６】
また、左側壁６１側（図２２中左側）の上段スクリーン１０１の左側壁６１側（図２２中左側）の枠材１０７には、図示しない２つの貫通孔が形成されている。
【００８７】
また、図２２に示すように、左側壁６１側（図２２中左側）の上段スクリーン１０１、１０１間の左側壁６１側（図２２中左側）には、押え部材５２１が設置されている。この押え部材５２１には図示しない貫通孔が穿孔されており、上記押え部材５２１はこの貫通孔を貫通しチャンネル材１２７に螺合されるボルト５２３によって回転可能に設置されている。また、上記押え部材５２１は、上記ボルト５２３を回転させて上記ボルト５２３の頭部を図２２中紙面垂直方向奥側に移動させることにより押圧・固定され、上記ボルト５２３を回転させて上記ボルト５２３の頭部を図２２中紙面垂直方向手前側に移動させることにより押圧・固定を解除されるようになっている。
【００８８】
既に説明した塞ぎ部材５１５、５１５は、その両端を、上記押え部材５２１と蓋１５３によって押圧・固定されている。また、上記押え部材５２１は、上記上段スクリーン１０１、１０１の左側壁６１側（図２２中左側）の端部も押圧・固定している。
上記ボルト５２３を回転させて上記押え部材５２１の押圧・固定を解除し、上記押え部材５２１を図２２中水平になるように回転させることにより、上記塞ぎ部材５１５、５１５や上記上段スクリーン１０１、１０１の上記押え部材５２１による押圧・固定が解除される。また、上記押え部材５２１を図２２中上下方向になるように回転させた後、上記ボルト５２３を回転させて上記押え部材５２１を押圧・固定することにより、上記塞ぎ部材５１５、５１５や上記上段スクリーン１０１、１０１の上記押え部材５２１による押圧・固定が成される。
【００８９】
また、右側壁５９側（図２２中右側）の上段スクリーン１０１、１０１間の右側壁５９側（図２２中右側）にも、同様に、図示しない押え部材が設置されており、この押え部材がチャンネル材１２７に螺合される図示しないボルトによって固定されている。また、図示しない塞ぎ部材は、その両端を、この押え部材と蓋１５３によって押圧・固定されている。また、上記図示しない押え部材は、上記上段スクリーン１０１、１０１の右側壁５９側（図２２中右側）の端部も押圧・固定している。
また、篩装置５０１の排出側の上段スクリーン１０１とアングル材１３１の間や、投入側の上段スクリーン１０１とアングル材１２９との間にも、同様に、図示しない押え部材が設置され、上記上段スクリーン１０１、１０１や図示しない塞ぎ部材の端部が押圧・固定される。
【００９０】
次に、本実施の形態による篩装置５０１の作用について説明する。
本実施の形態による篩装置１も、前述した第１の篩装置１と略同様の作用を奏する。
しかし、上段スクリーン機構１３を閉じて固定する際は、次のような作業を行う。
まず、上記上段スクリーン機構１３を閉じる。
次に、隙間１４９、１４９を塞ぎ部材５１５によって閉塞し、隙間１５１、１５１も図示しない塞ぎ部材によって閉塞する。
【００９１】
次に、左側壁６１側（図２２中左側）の上段スクリーン１０１、１０１間の押え部材５２１を図２２中上下方向になるように回転させた後、ボルト５２３を回転させて上記押え部材５２１を固定し、左側壁６１側（図２２中左側）の上段スクリーン１０１、１０１や上記塞ぎ部材５１５の左側壁６１側（図２２中左側）の端部を押圧・固定する。
また、右側壁５９側（図２２中右側）の上段スクリーン１０１、１０１間の右側壁５９側（図２２中右側）においても同様にして、図示しない押え部材によって上記上段スクリーン１０１、１０１や上記塞ぎ部材５１５の右側壁５９側（図２２中右側）端部を押圧・固定する。
また、篩装置５０１の排出側の上段スクリーン１０１とアングル材１３１の間や、投入側の上段スクリーン１０１とアングル材１２９との間においても、同様に、図示しない押え部材により、上記上段スクリーン１０１、１０１や図示しない塞ぎ部材の端部を押圧・固定する。
【００９２】
次に、隙間１４７、１４７を塞ぐために蓋１５３を設置し、固定部材５０９を回転させ、図２４（ａ）に示すような状態として、上記蓋１５３を固定する。
【００９３】
また、上段スクリーン機構１３を開く際は、次のような作業を行う。
まず、ボルト５２３を回転させて押え部材５２１や図示しない押え部材の押圧・固定を解除し、上記押え部材５２１や図示しない押え部材を回転させて上記上段スクリーン１０１や塞ぎ部材５１５等の端部の押圧・固定を解除する。
次に、固定部材５０９を回転させ、図２４（ｂ）に示すような状態として、上記蓋１５３を除去する。
次に、塞ぎ部材５１５等を除去し、上段スクリーン機構１３を開く。
【００９４】
次に、本実施の形態による効果について説明する。
本実施の形態の場合も、前述した第１の実施の形態とほぼ同様の効果を奏する。
さらに、上段スクリーン機構１３の閉じた状態での固定とその解除が容易なものとなっている。
【００９５】
すなわち、蓋１５３は、固定部材５０９を回転させることにより、固定操作とその解除操作を行うことができるため、着脱が容易である。
また、前述した第１の実施の形態における蓋１６１、１６１の代わりに塞ぎ部材５１５を使用し、それを回転可能に設置されるとともに、ボルト５２３によって固定とその解除が可能な押え部材５２１によって押さえるような構成にしているので、それによっても、構成の簡略化、開閉作業の容易化を図ることができる。
【００９６】
次に、図２８及び図２９を参照して本願発明の第３の実施の形態について説明する。
本実施の形態による篩装置６０１は、前述した第１の実施の形態による篩装置１とほぼ同様の構成であるが、以下に示すように、上段スクリーン機構１３及び下段スクリーン機構１５の開成状態を保持する構成が異なっている。
なお、前述した第１の実施の形態による篩装置１と同一部分には同一符号を付して示しその説明を省略する。
【００９７】
図２８及び図２９には、上記篩装置６０１の上段スクリーン機構１３及び下段スクリーン機構１５が開かれた状態で保持されている様子が示されている。
まず、上記上段スクリーン機構１３の開成状態を保持する構成について説明する。
図２８や図２９に示すように、上記上段スクリーン機構１３の個々の上段スクリーン１０１は、固定部材６０３を介して左側壁６１又は右側壁５９に対して固定されることで、開かれた状態が保持される。なお、図２８及び図２９には、上記篩装置６０１の左側壁６１側の一部のみが示されている。
【００９８】
上記固定部材６０３は、基部６０５と、この基部６０５に固着されたフック６０７とから構成されている。上記基部６０５は、図２９に示すような断面形状を成している。また、上記フック６０７は先端側（図２８中右側）が鉤状に屈曲されている。そして、上記基部６０５が上記左側壁６１又は上記右側壁５９の上端に係合されるとともに、上記フック６０７の先端（図２８中右側）が上記上段スクリーン１０１の投入側の枠材１０７に係合される。これにより、上記上段スクリーン１０１は、上記固定部材６０３を介して上記左側壁６１又は上記右側壁５９に対して固定され、開いた状態を保持される。
【００９９】
上記上段スクリーン１０１の開成・固定作業は、次のようにして行う。
最初に、最も排出側（図２８中下側）の上段スクリーン１０１の開成・固定作業から行う。
まず、固定部材６０３の基部６０５を、上記左側壁６１又は上記右側壁５９の上端（図２９中上側）の大よそ所定の位置（固定対象となる上段スクリーン１０１のやや投入側（図２８中上側））に被冠させるように係合させる。上記固定部材６０３の基部６０５を上記左側壁６１又は上記右側壁５９の上端（図２９中上側）に係合させるには、まず、上記固定部材６０３を立てた状態（フック６０７の先端側を図２９中上側にした状態）で基部６０５側を篩装置６０１側（左側壁６１に取り付ける固定部材６０３の場合は図２９中右側、右側壁５９に取り付ける固定部材６０３の場合は図２９中左側、）に向け、上記基部６０５の図２９中下側の屈曲部を上記左側壁６１の返し６９又は上記右側壁５９の返し６７の端部に係合させ、上記固定部材６０３を篩装置６０１の幅方向内側（左側壁６１側の固定部材６０３の場合は図２９中右側、右側壁５９側の固定部材６０３の場合は図２９中左側）に回転させる。
【０１００】
次に、上記上段スクリーン１０１を開き、垂直に立てた状態から更に幅方向外側（左側壁６１側の上段スクリーン１０１の場合は図２９中左側、右側壁５９側の上段スクリーン１０１の場合は図２９中右側）まで回動させる。
【０１０１】
次に、フック６０７の屈曲された部分よりも基端側（図２８中左側）が上記上段スクリーン１０１の投入側（図２８中上側）の端部に当接するまで、上記固定部材６０３を上記左側壁６１又は上記右側壁５９の上端（図２９中上側）に沿ってスライドさせる。
【０１０２】
次に、上記上段スクリーン１０１を幅方向内側（左側壁６１側の上段スクリーン１０１の場合は図２９中右側、右側壁５９側の上段スクリーン１０１の場合は図２９中左側）に回動させ、上記フック６０７を上記上段スクリーン１０１の投入側の枠材１０７に係合させる。これにより、最も排出側（図２８中下側）の上段スクリーン１０１の開成状態での固定が完了する。
【０１０３】
次に、同様にして、真ん中の上段スクリーン１０１の開成・固定作業を行うとともに、最も投入側の上段スクリーン１０１の開成・固定を行う。
このようにして、排出側（図２８中下側）から投入側（図２８中上側）に向かって、順に、左右３個ずつ合計６個の上段スクリーン１０１の開成・固定作業を行っていく。
【０１０４】
また、開成・固定された上段スクリーン１０１の固定解除・閉成作業は次のようにして行う。
最初に、最も投入側（図２８中上側）の上段スクリーン１０１の固定解除・閉成作業から行う。
まず、上記上段スクリーン１０１を垂直に立てた状態から更に幅方向外側（左側壁６１側の上段スクリーン１０１の場合は図２９中左側、右側壁５９側の上段スクリーン１０１の場合は図２９中右側）に回動させ、上記上段スクリーン１０１と固定部材６０３のフック６０７との係合を解除する。
次に、上記固定部材６０３を、上記左側壁６１又は上記右側壁５９の上端側（図２９中上側）に沿って投入側（図２８中上側）に若干スライドさせる。
【０１０５】
次に、上記固定部材６０３を篩装置６０１の幅方向外側（左側壁６１側の固定部材６０３の場合は図２９中左側、右側壁５９側の固定部材６０３の場合は図２９中右側）に回転させて、上記固定部材６０３の基部６０５と上記左側壁６１又は上記右側壁５９の上端側（図２９中上側）との係合を解除し、上記固定部材６０３を取り外す。
【０１０６】
次に、上記上段スクリーン１０１を幅方向内側（左側壁６１側の上段スクリーン１０１の場合は図２９中右側、右側壁５９側の上段スクリーン１０１の場合は図２９中左側）に回動させ、上記上段スクリーン１０１を閉じる。
【０１０７】
次に、同様にして、真ん中の上段スクリーン１０１の固定解除・閉成作業、最も排出側（図２８中下側）の上段スクリーン１０１の固定解除・閉成作業を行う。
このようにして、投入側（図２８中上側）から排出側（図２８中下側）に向かって、順に、左右３個ずつ合計６個の上段スクリーン１０１の固定解除・閉成作業を行っていく。
なお、最も排出側（図２８中下側）の上段スクリーン１０１から開成・固定作業を行い、最も投入側（図２８中上側）の上段スクリーン１０１から固定解除・閉成作業から行う理由は、既に開いた状態の２つの上段スクリーン１０１の間においては、固定部材６０３を左側壁６１又は右側壁５９の上端側（図２９中上側）に係合させた際の移動可能な範囲が小さい上に、上記上段スクリーン１０１間の隙間は作業者が手を入れて上記上段スクリーン１０１を回動させる作業を行うには狭く、上記上段スクリーン１０１に対するフック６０７の係合とその解除の作業が困難だからである。
以上が、上記上段スクリーン機構１３の開成状態を保持する構成についての説明である。
【０１０８】
次に、上記下段スクリーン機構１５の開成状態を保持する構成について説明する。
図２８及び図２９に示すように、上記下段スクリーン機構１５の個々の下段スクリーン１６３は、吊り下げ部材６０９を介して、その図２９中上端側が上記上段スクリーン１０１に対して吊り下げられることで開成状態が保持される。上記吊り下げ部材６０９は、カラビナ６１１と紐状体６１３とから構成されている。
なお、上記紐状体６１３としては、ワイヤのような金属製のもの、ロープのような非金属製のもの、など、様々なものが考えられる。
【０１０９】
上記カラビナ６１１は、図２９に示すように、略長円形の環状を成している。また、上記カラビナ６１１は、一か所が切断されていて、短片側が弾性変形可能な構成になっている。そして、その切断された箇所から、後述する上段スクリーン１０１の係合部材６１５を差し込むことにより、上記短片が内側に弾性変形して開き、それによって、カラビナ６１１が上段スクリーン１０１の係合部材６１５に係合することになる。
また、上記紐状体６１３はその両端側がループ状になっていて、上記紐状体６１３の一端側（図２９中左端側）は、上記カラビナ６１１によって貫通されている。これにより、上記カラビナ６１１と上記紐状体６１３とが一体とされ、吊り下げ部材６０９が構成される。
【０１１０】
また、図２８や図２９に示すように、個々の上記上段スクリーン１０１の図２９中上側の枠材１０７の投入側（図２８中上側）には、すでに述べたように、略Ｕ字型の係合部材６１５が設置されている。この係合部材６１５は、そのＵ字型の開口部側（図２８中左側）が上記枠材１０７によって閉塞されている。
また、図２８や図２９に示すように、個々の上記下段スクリーン１６３の図２９中上側の枠材１６７の投入側（図２８中上側）には、係合部材６１７が設置されている。この係合部材６１７はその先端側（図２９中右端側）が反上段スクリーン１０１側（図２９中右側）に突出されている。
【０１１１】
上記下段スクリーン１６３の開成・固定作業は、次のようにして行う。
まず、前述したように、上段スクリーン機構１３の開成状態を保持する。
【０１１２】
次に、上記下段スクリーン１６３を幅方向外側（左側壁６１側の下段スクリーン１６３の場合は図２９中左側、右側壁５９側の下段スクリーン１６３の場合は図２９中右側）に回動させ、上記下段スクリーン１６３を開く。
【０１１３】
次に、上記吊り下げ部材６０９のカラビナ６１１を上記上段スクリーン１０１の係合部材６１５に係合させるとともに、上記吊り下げ部材６０９の紐状体６１３の他端側（図２９中右端側）を上記下段スクリーン１６３の係合部材６１７に係合させる。
これにより、上記下段スクリーン１６３は、上記吊り下げ部材６０９を介して上記上段スクリーン１０１から吊り下げられた状態となり、開成状態が保持される。
このような作業を、左右３個ずつ合計６個の下段スクリーン１６３について行う。また、各下段スクリーン１６３は直上の上段スクリーン１０１から吊り下げられることになる。
【０１１４】
また、上記下段スクリーン１６３の固定解除・閉成作業は、次のようにして行う。
まず、上記吊り下げ部材６０９のカラビナ６１１と上記上段スクリーン１０１の係合部材６１５との係合を解除するとともに、上記吊り下げ部材６０９の紐状体６１３の他端側（図２９中右端側）と上記下段スクリーン１６３の係合部材６１７との係合を解除する。
【０１１５】
次に、上記下段スクリーン１６３を幅方向内側（左側壁６１側の下段スクリーン１６３の場合は図２９中右側、右側壁５９側の下段スクリーン１６３の場合は図２９中左側）に回動させ、上記下段スクリーン１６３を閉じる。
このような作業を、左右３個ずつ合計６個の下段スクリーン１６３について行う。
以上が、上記下段スクリーン機構１５の開成状態を保持する構成についての説明である。
【０１１６】
本実施の形態による篩装置６０１も、前述した第１の実施の形態による篩装置１と同様の作用・効果を奏する。
また、上段スクリーン１０１は固定部材６０３によって開いた状態で保持され、下段スクリーン１６３は吊り下げ部材６０９によって開いた状態で保持される。そして、上記固定部材６０３は、基部６０５が左側壁６１又は右側壁５９の上端側に係合させ、フック６０７の先端側を上記上段スクリーン１０１の投入側の枠材１０７に係合させることで設置され、上記吊り下げ部材６０９は、カラビナ６１１を上記上段スクリーン１０１の係合部材６１５に係合させ、紐状体６１３の他端側（図２９中右端側）を上記下段スクリーン１６３の係合部材６１７に係合させることで設置される。
このように、本実施の形態の場合は、第１の実施の形態のように支柱１０３と図示しないワイヤとを用いた場合に比べて、上記固定部材６０３や吊り下げ部材６０９の設置作業を容易なものとすることができる。
【０１１７】
なお、本発明は、前述の第１〜第３の実施の形態に限定されない。
例えば、前述した第１〜第３の実施の形態においては、篩装置１には、上段スクリーン機構１３と下段スクリーン機構１５の上下２段に設置されたスクリーン機構が備えられていたが、３段以上のスクリーン機構を上下方向にわたって設置することも考えられる。
また、上段スクリーン１０１や下段スクリーン１６３の個数には、様々な場合が考えられる。
また、第２の実施の形態における上段スクリーン機構１３の上段スクリーン１０１を固定するための構成を、下段スクリーン機構１５に適用することも考えられる。
【０１１８】
また、上記上段スクリーン機構１３と上記下段スクリーン機構１５の傾斜角度には様々な場合が考えられる。また、上記上段スクリーン機構１３と上記下段スクリーン機構１５の傾斜角度が揃っている場合も考えられる。
また、上記上段スクリーン１０１や上記下段スクリーン１６３が篩対象物の搬送方向に沿って開閉するように構成される場合も考えられる。
【０１１９】
また、振動トレイやスクリーン機構が傾斜されていない場合も考えられる。
また、振動トレイの振動には様々な場合が考えられる。例えば、被篩対象物の搬送方向のみに往復動させる場合や、鉛直方向に動かす場合や、これらの動きを組み合わせた場合等が考えられる。
また、前記第３の実施の形態において、吊り下げ部材６０９として紐状体６１３を用いたが、この紐状体６１３の代わりに、例えば、金属製の棒状体、鎖、等を用いることも考えられる。
その他、本願発明は、図示した構成に限定されず、様々な変形が考えられる。
【産業上の利用可能性】
【０１２０】
本発明は、例えば、所望の大きさのチップを得るための篩装置に係り、特に、スクリーン機構を上下方向に複数段に備えたものであって、全てのスクリーン機構を開閉自在に構成し、それによって、メンテナンスの作業性ひいては装置としての性能、稼働率の向上を図ることができるように工夫したものに関し、例えば、破砕された建材の処理を行う篩装置に好適である。
【符号の説明】
【０１２１】
１  篩装置
１１  振動トレイ
１３  上段スクリーン機構
１５  下段スクリーン機構
１０１  上段スクリーン
１０３  支柱
１１９  上段スクリーン機構用支持体
１４７  隙間
１４９  隙間
１５１  隙間
１５３  蓋
１５７  蓋
１６１  蓋
１６３  下段スクリーン
１７７  下段スクリーン機構用支持体
１９９  隙間
２０１  隙間
２０３  隙間
２０５  蓋
２０９  蓋
２１１  蓋
５０１  篩装置
６０１  篩装置
６０３  固定部材
６０９  吊り下げ部材
【図１】
2014233662.tif 000003
【図２】
2014233662.tif 000004
【図３】
2014233662.tif 000005
【図４】
2014233662.tif 000006
【図５】
2014233662.tif 000007
【図６】
2014233662.tif 000008
【図７】
2014233662.tif 000009
【図８】
2014233662.tif 000010
【図９】
2014233662.tif 000011
【図１０】
2014233662.tif 000012
【図１１】
2014233662.tif 000013
【図１２】
2014233662.tif 000014
【図１３】
2014233662.tif 000015
【図１４】
2014233662.tif 000016
【図１５】
2014233662.tif 000017
【図１６】
2014233662.tif 000018
【図１７】
2014233662.tif 000019
【図１８】
2014233662.tif 000020
【図１９】
2014233662.tif 000021
【図２０】
2014233662.tif 000022
【図２１】
2014233662.tif 000023
【図２２】
2014233662.tif 000024
【図２３】
2014233662.tif 000025
【図２４】
2014233662.tif 000026
【図２５】
2014233662.tif 000027
【図２６】
2014233662.tif 000028
【図２７】
2014233662.tif 000029
【図２８】
2014233662.tif 000030
【図２９】
2014233662.tif 000031
【図３０】
2014233662.tif 000032
【図３１】
2014233662.tif 000033